(57)【要約】      （修正有）【課題】樹木の周囲を覆う樹木保護具が野生動物に倒されにくいようになっている樹木保護具を提供する。【解決手段】樹木保護具Ｐを、その使用状態において、縦長筒状又は円錐台状である形状を備えた保護部材２１と、この保護部材２１を保持する１個又は複数個の保持部材２２が、前記保護部材２１の側面の上部から下部に亘って取付けられていると共に、前記保持部材２２を電気的に導通する材料で形成するようにする。こうすることにより、容積を小さくできるため運搬しやすく、樹木Ｋを保護する現地で樹木Ｋの周囲に樹木保護具Ｐを設置する際には、畳まれた運搬状態のネット状筒状体を苗木の根元周囲に配置し、螺旋状の前記保持部材２２を持って上方向に引き伸ばし支柱１などに取付けさえすれば、縦長筒状又は円錐台状の形状を保持させた樹木保護具Ｐを効率よく設置することができる。【選択図】図２
2019037206.tif 000002
【特許請求の範囲】
【請求項１】
その使用状態において、縦長筒状又は円錐台状である形状を備えた保護部材と、この保護部材を保持する１個又は複数個の保持部材が、前記保護部材の側面の上部から下部に亘って取付けられていると共に、前記保持部材が電気的に導通する材料で形成されていることを特徴とする樹木保護具。
【請求項２】
前記保護部材は網目状に形成され、前記保持部材は保護部材の側面に螺旋状に取付けられていることを特徴とする請求項１に記載の樹木保護具。
【請求項３】
光を受けて発電するソーラーパネルと、このソーラーパネルにより発電された電力を蓄積し、前記保持部材に流す電流を得るための蓄電体と、を備えていることを特徴とする請求項１又は２に記載の樹木保護具。
【請求項４】
その使用状態において、縦長筒状又は円錐台状である形状を備えた保護部材が縦長棒状の支柱に取付けられている樹木保護具であって、前記支柱の表面には突部が前記支柱の長手方向に間隔をあけて複数形成され、前記保護部材を支柱に固定する固定部材により、前記保護部材が支柱表面と固定部材とにより挟まれて固定されていることを特徴とする樹木保護具。
【発明の詳細な説明】
【技術分野】
【０００１】
本発明は、植樹された樹木が野生動物に食べられないように樹木を保護するための樹木保護具に関するものである。
【背景技術】
【０００２】
公官庁や民間企業などにより行われている植樹において、樹木の樹木がシカやイノシシなどの野生動物に食べられないように保護する樹木保護具については、従来より種々の提案がなされており、例えば、幼齢木の周囲に所定間隔で立設される少なくとも２本の支柱と、上記支柱を介して幼齢木の周囲に筒状に起立保持される筒状ネットとを備え、上記支柱および筒状ネットが、ともに生分解性を有している幼齢木保護具である樹木保護具が開示されている。（特許文献１の請求項１参照）。
【先行技術文献】
【特許文献】
【０００３】
【特許文献１】特開２０００−２７９０３９号公報
【発明の概要】
【発明が解決しようとする課題】
【０００４】
しかしながら、上記従来の樹木保護具においては、筒状ネットがその周囲に配置された樹木は、その状態においては、野生動物に食べられない様になっているが、野生動物が前記樹木保護具の支柱を倒して、前記筒状ネットから幼齢木の一部が露出した状態になると、当然のことながら、その部分から野生動物に食べられてしまうものであった。
【０００５】
本発明は、上記課題を解決するためになされたものであり、樹木の周囲を覆う樹木保護具が野生動物に倒されにくいようになっている樹木保護具を提供せんとするものである。
【課題を解決するための手段】
【０００６】
上記目的を達成するために、本発明は次のような構成としている。
すなわち本発明に係る樹木保護具は、その使用状態において、縦長筒状又は円錐台状である形状を備えた保護部材と、この保護部材を保持する１個又は複数個の保持部材が、前記保護部材の側面の上部から下部に亘って取付けられていると共に、前記保持部材が電気的に導通する材料で形成されていることを特徴とするものである。
【０００７】
本発明に係る樹木保護具によれば、その使用状態において、縦長筒状又は円錐台状である形状を備えた保護部材と、この保護部材を保持する１個又は複数個の保持部材が、前記保護部材の側面の上部から下部に亘って取付けられていると共に、前記保持部材が電気的に導通する材料で形成されているので、この保持部材電流を流すことにより、野生動物が前記樹木保護具を倒そうと前記保護部材に接触すると電気ショックを受けるため、前記樹木保護具を倒すことができない様になっている。
【０００８】
また本発明に係る樹木保護具は、前記保護部材は網目状に形成され、前記保持部材は保護部材の側面に螺旋状に取付けられていることを特徴とするものである。
【０００９】
本発明に係る樹木保護具によれば、前記保護部材は網目状に形成され、前記保持部材は保護部材の側面に螺旋状に取付けられているので、樹木を保護する現地まで運搬する際には、網目状の保護部材と螺旋状の保持部材とを上下方向に畳んで運搬時の状態とすれば、容積を小さくできるため運搬しやすく、樹木を保護する現地で樹木の周囲に樹木保護具を設置する際には、畳まれた運搬状態のネット状筒状体を苗木の根元周囲に配置し、螺旋状の前記保持部材を持って上方向に引き伸ばし支柱などに取付けさえすれば、縦長筒状又は円錐台状の形状を保持させた樹木保護具を効率よく設置することができる。
【００１０】
また本発明に係る樹木保護具は、光を受けて発電するソーラーパネルと、このソーラーパネルにより発電された電力を蓄積し、前記保持部材に流す電流を得るための蓄電体を備えていることを特徴とするものである。
【００１１】
本発明に係る樹木保護具によれば、光を受けて発電するソーラーパネルと、このソーラーパネルにより発電された電力を蓄積し、前記保持部材に流す電流を得るための蓄電体を備えているので、山奥などの商用電源が敷設されていない場所においても、前記樹木保護具を設置して樹木を野生動物の食害から保護することができる。
【００１２】
また本発明に係る樹木保護具は、その使用状態において、縦長筒状又は円錐台状である形状を備えた保護部材が縦長棒状の支柱に取付けられている樹木保護具であって、前記支柱の表面には突部が前記支柱の長手方向に間隔をあけて複数形成され、前記保護部材を支柱に固定する固定部材により、前記保護部材が支柱表面と固定部材とにより挟まれて固定されていることを特徴とするものである。
【００１３】
本発明に係る樹木保護具によれば前記支柱の表面には突部が前記支柱の長手方向に間隔をあけて複数形成され、前記保護部材を支柱に固定する固定部材により、前記保護部材が支柱表面と固定部材とにより挟まれて固定されているので、前記保護部材が野生動物に引っ張られても、前記固定部材が支柱表面の突部に引っ掛かって、それ以上前記保護部材がずれることがないようになっており、したがって樹木を外方に露出させることなく、野生動物の食害から樹木を保護することができる。
【発明の効果】
【００１４】
本発明に係る樹木保護具によれば、縦長筒状又は円錐台状である形状を備えた保護部材と、この保護部材を保持する１個又は複数個の保持部材が、前記保護部材の側面の上部から下部に亘って、１個又は複数個の前記保持部材の各部位が相互に当接しない様に前記保護部材に取付けられていると共に、前記保持部材が電気的に導通する材料で形成されているので、この保持部材電流を流すことにより、野生動物が前記樹木保護具を倒そうと前記保護部材に接触すると電気ショックを受けるため、前記樹木保護具を倒すことができない様になっている。
【図面の簡単な説明】
【００１５】
【図１】本発明に係る樹木保護具の１つの実施形態を示す斜視図である。
【図２】図１に示す樹木保護具の使用状態を示す斜視図である。
【図３】本発明に係る樹木保護具の別の実施形態を示す斜視図である。
【図４】図１に示す樹木保護具を支持する支柱を示す斜視図である。
【発明を実施するための形態】
【００１６】
次に、本発明を実施するための形態について図面を参照し、具体的に説明する。
Ｐは本発明に係る樹木保護具であって、樹木が生育している地面Ｇに立設された棒状の支柱１と、その使用状態において縦長筒状又は円錐台状である形状を備えた網目状の保護部材２１と、前記保護部材２１に取付けられ前記保護部材２１をその使用状態において縦長筒状の形状に保持する保持部材２２とを備え、前記支柱１に取付けられ支持されて前記樹木Ｋの周囲を覆い、野生動物などの食害から樹木Ｋを保護する保護具本体２と、を備えている。なお、本明細書に示す実施形態においては、前記保護部材２１はその使用状態において縦長筒状に形成されているもののみを示すが、この実施形態のみに限定されるものではない。
【００１７】
前記保護部材２１はその使用状態において縦長筒状の形状に上下方向に伸ばされ、前記支柱１の側面に当接され、この支柱１の外形とほぼ同じ内形を備えたクリップ状の固定部材により、上下方向に複数個所において前記支柱１の側面とこの固定部材の内側面に挟まれて固定されている。そして、前記支柱１の表面には節状の突部１１が前記支柱１の長手方向に間隔をあけて複数形成されているので、前記保護部材２１が野生動物に引っ張られても、前記固定部材が支柱１表面の突部１１に引っ掛かって、それ以上前記保護部材２１がずれることがないようになっている。
【００１８】
なお、本実施形態において、前記突部１１は支柱１表面の周方向に帯状に形成されているが、これに限定されるものではなく、例えば前記支柱１表面の周方向に点鎖状に形成されていてもよい。さらには、上下に縦長棒状の突部を前記支柱１１表面に間隔をあけて周方向に設ける様にしてもよい。
【００１９】
図１，２に示す実施形態においては、前記保持部材２２は１本が前記保護部材２１の外側面の上部から下部に亘って螺旋状に取付けられている。また図３に示す実施形態においては、前記保持部材２２は２本が平行になされて前記保護部材２１の外側面の上部から下部に亘って螺旋状に取付けられている。
【００２０】
前記保護部材２１と保持部材２２との取付は、前記保護部材２１の外周面に幅の狭い帯状の板状材からなる前記保持部材２２を螺旋状に当接し、前記保持部材２２を長手方向に中央で折り畳み、その折り畳んだ内側に前記保護部材２１を挟み込んで、前記保護部材２１に保持部材２２を取付ける。
【００２１】
また本発明に係る樹木保護具Ｐには、光を受けて発電するソーラーパネル３と、このソーラーパネル３により発電された電力を蓄積し、前記保持部材２２に流す電流を得るための各種バッテリーなどの蓄電体４と、が備えられている。そして、前記保持部材２２は電気的に導通する材料である銅線などの金属製線材で形成されており、前記ソーラーパネル３により発電され蓄電体４に蓄積された電流が前記保持部材２２に流されるようになっている。この構成となっていることで、野生動物が前記樹木保護具Ｐを倒そうと前記保護部材２２に接触すると電気ショックを受けるため、前記樹木保護具Ｐを倒すことができない様になっている。
【００２２】
つまり、鹿や猪などの野生動物が、前記樹木Ｋを食べようとして、前記樹木保護具Ｐの保護部材２１の外側面に配置されている前記保持部材２２に接触すると、前記蓄電体４を内蔵した電源装置Ｄの出力線Ｄ１、保持部材２２、鹿や猪などの野生動物、地面Ｇ、アース棒Ｅ、アース線Ｅ１の順路で、野生動物に衝撃を与えることができるほど高い電流（衝撃電流）が流れる。
【００２３】
前記樹木保護具Ｐの設置方法については、保護する樹木Ｋの周囲に前記支柱１を立設し、上下方向に畳まれた運搬時の状態の前記保護部材２１を前記樹木Ｋの根元の周囲に配置し、前記保護部材２１を所望の高さになるよう上下方向に引き伸ばして、固定部材を介して前記支柱１に前記保護部材２１を係止する。
【００２４】
そして、前記保護部材２１はその使用時の状態（設置された状態）においては、網目を備えた縦長の円筒状の形状となされている。そして、その使用時の状態において、前記保護部材２１の外側面に沿って立設された前記支柱１に、前記保護部材２１の上下方向に複数個所において前記支柱１の側面と前記固定部材の内側面に前記保護部材２１が挟まれて固定されている。
【００２５】
そしてこの明細書の記載において、前記保護部材２１の運搬時の状態とは、前記保護部材２１が上下方向に畳まれその高さ方向に最も縮められている状態を表すものである。また、前記保護部材２１の使用時の状態とは、前記保護部材２１がその高さ方向に最も縮められている状態である運搬時の状態から、保護する樹木Ｋの高さに合わせるなどして、所望の高さに前記保護部材２１を上下方向に引き伸ばした状態を表すものである。
【００２６】
前記保護部材２１は、ポリプロピレンやポリエチレンやポリエチレンテレフタレートなどの熱可塑性合成樹脂で形成され柔軟性を持たせて形成しているので、上述のように、前記保護部材２１が運搬時の状態である蛇腹状に畳まれた状態と、使用時の状態である上下方向に引き伸ばされた状態とを可変とすることができる。
【００２７】
前記樹木保護具Ｐの使用時の状態において、前記保護部材２１の保護部材２１の網目の大きさは、目合いが０．２〜３ｍｍであることが好ましが、日光を遮り過ぎない程度に大きく、野生動物の口が入りにくい程度に小さければ、特に本実施形態の数値範囲に限定されるものではない。
【００２８】
また、前記保護部材２１の大きさは、上下方向の高さが１３００〜２０００ｍｍであり、上部及び下部の開口部の径が７５〜２００ｍｍであることが好ましい。そして、前記支柱１は縦長の棒状体からなり、錆びることなく耐久性の高い繊維強化プラスチック（ＦＲＰ）で形成されており、径は８．５ｍｍ、高さは１６００〜２３００ｍｍとなされている。また言うまでもなく、ステンレスなどの金属パイプや金属パイプの外周に合成樹脂を被覆させたもので、前記支柱１を形成してもよい。
【００２９】
本実施形態に示す前記固定部材は上述の形態に限定されるものではなく、例えば合成樹脂製の帯状の結束バンドで構成されていてもよい。
【符号の説明】
【００３０】
１  支柱
１１  突部
２  保護具本体
２１  保護部材
２２  保持部材
３  ソーラーパネル
４  蓄電体
Ｐ  樹木保護具
Ｋ  樹木
Ｇ  地面
Ｄ  電源装置
Ｄ１  出力線
Ｅ  アース棒
Ｅ１  アース線
【図１】
2019037206.tif 000003
【図２】
2019037206.tif 000004
【図３】
2019037206.tif 000005
【図４】
2019037206.tif 000006